(57)【要約】【課題】取り付け作業性が良く、工期の短縮を図るのに効果的な、パネル状壁材の取付具及びこれを用いた取付方法の提供を目的とする。【解決手段】パネル取付具は、パネル下部係止部材とパネル上部係止部材とこの上下のパネル係止部材を連結する連結具とからなり、パネル下部係止部材には、上側に張り付けるパネルの下部との取付部を備え、パネル上部係止部材には、下側に張り付けるパネルの上部との取付部を備え、連結具には、躯体側に固定するベース部と、パネル下部係止部材用連結部と、パネル上部係止部材用連結部と、を備えたことを特徴とする。【選択図】  図１
2006002561.tif 000002
【特許請求の範囲】
【請求項１】
建築物の躯体にパネル状の壁材を取付施工する際に用いるパネル取付具において、
パネル取付具は、パネル下部係止部材とパネル上部係止部材とこの上下のパネル係止部材を連結する連結具とからなり、
パネル下部係止部材には、上側に張り付けるパネルの下部との取付部を備え、
パネル上部係止部材には、下側に張り付けるパネルの上部との取付部を備え、
連結具には、躯体側に固定するベース部と、パネル下部係止部材用連結部と、パネル上部係止部材用連結部と、を備えたことを特徴とするパネル取付具。
【請求項２】
パネル下部係止部材、パネル上部係止部材、この上下のパネル係止部材を連結する連結具のうち、少なくとも１つ以上がアルミニウム合金押出材を用いて製作されたものであることを特徴とする請求項１記載のパネル取付具。
【請求項３】
連結具と躯体側との間に角度調整部材を有し、
角度調整部材は連結具側部材と躯体側部材とからなり、
連結具側部材と躯体側部材とをともに断面Ｌ字形状とし、
相互のＬ字形状の他の片の相互延長仮想面が交わるように一の片を重ね合わせるとともに重ね合わせ面に基準固定部と調整連結部とを有し、
且つ、調整連結部の位置調整により相互延長仮想面の交わり角度を調整することを特徴とする請求項１又は請求項２記載のパネル取付具。
【請求項４】
請求項１又は請求項２記載のパネル取付具を用いたパネル取付方法であって、
建築物の躯体側に、所定の間隔を隔てて、上下に複数の連結具を固定し、
予め、パネルの上部にパネル上部係止部材を取り付け、パネルの下部にパネル下部係止部材を取り付け、
連結具のパネル上部係止部材用連結部にパネル上部係止部材を嵌着し、
連結具のパネル下部係止部材用連結部にパネル下部係止部材を嵌着することにより、
建築物の側面にパネルを連続的に張り付けることを特徴とするパネル取り付け方法。
【発明の詳細な説明】
【技術分野】
【０００１】
本発明は、建築物の側面躯体側にパネル状の壁材を上下、左右に連続的に張り付けるための取付具及びこれを用いた取り付け方法に関する。
【背景技術】
【０００２】
従来のパネル材張り付け方法としては、例えば、図１１に示すように、建築物の鋼材等の基材１０１にＬアングル１０５を溶接等で取り付け、また、壁材（パネル）１０２側にもアングル１０６を取り付けて、双方のアングル同士を連結する方法が例として挙げられる。
従って、パネルを取り付けるためにはアングル１０５と１０６を重ね合わせなければならず、さらにアングル１０６とパネルとの取り付け代が必要であり、パネルと躯体側の間を薄くするのが困難であった。
また、このようにパネルをビス等で直接アングル等の固定具に取付固定する方法では、ビス等でパネルを緩みなく締め付けるため、固定具の取付位置やパネルの折曲げ角度等に誤差がある場合にその誤差分をパネルを変形させて吸収させることになり、パネル外観に歪みが生じるという問題があった。
このような建築物の側面に、順次溶接しながらパネルを取り付ける工法では、溶接機械等を高所に運び移動しながら作業しなければならず、危険でもあった。
また、パネルを固定するまで手でパネルを支えていなければならず、人手がかかるだけでなくパネル落下の危険もあった。
従って、狭い場所で多人数での取り付けになり作業性が悪く、人工がかかり工期も長期になる問題があった。
【発明の開示】
【発明が解決しようとする課題】
【０００３】
本発明は上記技術的課題に鑑みて、取り付け作業性が良く、パネルや躯体側の固定具に寸法の誤差がある場合でも取付外観を良好に出来、工期の短縮を図るのに効果的な、パネル状壁材の取付具及びこれを用いた取付方法の提供を目的とする。
【課題を解決するための手段】
【０００４】
本発明の技術的要旨は、建築物の躯体にパネル状の壁材を取付施工する際に用いるパネル取付具において、パネル取付具は、パネル下部係止部材とパネル上部係止部材とこの上下のパネル係止部材を連結する連結具とからなり、パネル下部係止部材には、上側に張り付けるパネルの下部との取付部を備え、パネル上部係止部材には、下側に張り付けるパネルの上部との取付部を備え、連結具には、躯体側に固定するベース部と、パネル下部係止部材用連結部と、パネル上部係止部材用連結部と、を備えたことを特徴とする点である。
【０００５】
パネルは予め取り付けている係止部材を介して、躯体側に設けた連結具の連結部に嵌め込みにより取り付ける。
パネル取付時にパネルには、例えパネル折曲げ角度や連結具位置に誤差があっても直接誤差が伝わらず、誤差は係止部材と連結部の嵌め合わせ部分で吸収させることが出来る。
パネル下部係止部材、パネル上部係止部材、この上下のパネル係止部材を連結する連結具は、長手方向にパネルを取り付けたり、連結するので、少なくとも１つ以上がアルミニウム合金押出材を用いて製作されたものであってよい。
押出材は、長手方向に連続的な嵌合用の凹部や突起部を形成するのに適しているからである。
【０００６】
請求項３記載の発明の技術的要旨は、連結具と躯体側との間に角度調整部材を有し、角度調整部材は連結具側部材と躯体側部材とからなり、連結具側部材と躯体側部材とをともに断面Ｌ字形状とし、相互のＬ字形状の他の片の相互延長仮想面が交わるように一の片を重ね合わせるとともに重ね合わせ面に基準固定部と調整連結部とを有し、且つ、調整連結部の位置調整により相互延長仮想面の交わり角度を調整する点である。
【０００７】
連結具は、例えばアンカーボルト等の固定具を躯体に設けた上で角度調整部材を用いて取り付けると、その取り付け角度が調整可能になる。
角度調整部材の断面Ｌ字形状の連結具側部材と躯体側部材は、躯体側部材の躯体側の取付片を仮想的に延長した延長仮想面と、連結具側部材の連結具側の取付片の延長仮想面とが交わるように躯体側と連結具側にそれぞれ取り付け、そして、一の片を重ね合わせるものとする。
そして、重ね合わせた重ね合わせ面に、重ね合わせた片を相互に回動可能であるが位置を固定的に連結する基準固定部と、重ね合わせ面の連結位置を位置調整可能な調整連結部を設けて、重ね合わせた片同士を連結する。
これにより、基準固定部を回動軸とする角度調整を行うことで、躯体側部材の躯体側取付片の延長仮想面と連結具側部材の連結具側取付片の延長仮想面の交わり角度を調整し、連結具の躯体側への取付角度の調整が行える。
躯体側部材の躯体側取付片と連結具側部材の連結具側取付片の相互延長仮想面は、概ね直交するように取り付けるのが角度調整性の点から望ましい。
【０００８】
請求項４記載に係る発明は、請求項１又は請求項２記載のパネル取付具を用いたパネル取付方法であって、建築物の躯体側に、所定の間隔を隔てて、上下に複数の連結具を固定し、予め、パネルの上部にパネル上部係止部材を取り付け、パネルの下部にパネル下部係止部材を取り付け、連結具のパネル上部係止部材用連結部にパネル上部係止部材を嵌着し、連結具のパネル下部係止部材用連結部にパネル下部係止部材を嵌着することにより、建築物の側面にパネルを連続的に張り付けることを特徴とする。
この連結具は、アングル等のブラケットを用いて建築物基材にボルトナット等で取り付ける他、建築物基材に設けたアンカー等に直接取り付けてもよい。
連結具のパネル下部係止部材用連結部及び下部係止部材用連結部はパネルの上下係止部材が嵌め込みにより連結できれば、構造としては特に限定されない。
例えば一方に嵌合凹部を形成し、これに対応する他方に突起部を形成する構造が例として挙げられる。
【０００９】
上側パネルと下側パネルの隣接部分をシールする場合は、一つには、それぞれのパネル係止部材と連結具との連結部分を、凹状の嵌合部と、シール部材を先端に装着した立設片との嵌め合わせとすることで、パネル係止部材を連結具に、連結部分をシールしながら取り付ける方法が考えられる。
他の方法としては、パネルの隣接部分にシール部材を装着した押し縁材を嵌め込むことでパネル間をシールする方法が考えられる。
また、パネルの端部や係止部材にシール部材を備えた延出部を設けて、このシール部材を隣接するパネル端部や係止部材に対して密着させる方法がある。  
【発明の効果】
【００１０】
本発明に係るパネル取付具は、パネル下部係止部材とパネル上部係止部材とこの上下のパネル係止部材を連結する連結具とからなり、従来のようにパネルをビス等で躯体側の固定具に直接固定するのではなく、パネルに予め取り付けた係止部材を介して、嵌め込みにより躯体側に取り付けた連結具の連結部に取り付ける。
このため、パネルの折曲げ角度や連結具の取り付け位置に誤差が例えあっても、誤差をパネル取り付け時に直接パネルには伝えず、嵌め合わせ部分で吸収させることが出来るため、パネル外観に歪みを生じさせることのない良好な施工状態が得られる。
そしてこの連結具は、躯体側の例えば傾いてしまっている既設のアンカーボルトにも、角度調整部材を用いると簡単に角度調整して取り付け出来、整然とパネル取り付けが出来る。
そして、パネルの取付作業はこの連結具に、パネルの上部に取り付けてあるパネル上部係止部材を嵌め込み、パネルの下部に取り付けてあるパネル下部係止部材を嵌め込むだけで、建築物の側面にパネルを連続的に張り付ることができるため、簡単な作業となり作業性が良く、ゴンドラ上での作業も可能となる。
パネルの取り付けには溶接を必要とせず、そして、壁面のどの部分からでも取り付け作業ができる。
また、角度調整部材を用いる場合にはパネルの取り付け角度調整を容易に行える。
これにより、低コストで施工出来る上に、躯体側の状態に依らず隣接するパネル間の角度差を解消して、パネルを良好な外観で整然と取り付け出来る。
また、従来工法ではパネルが固定するまで人が手で支えていなければならなかったが、本発明においては、パネルを嵌め込むだけで固定されると同時に目地寸法が保たれるため、落下の危険が無く、必ずしもシーリング工事を必要としない。
取り付けビスも少なく出来、パネルと躯体の間を容易に薄くでき、必ずしも足場を必要とせず、狭い場所でも施工性が向上する。
従って本発明は、従来工法に比較して安全性向上、工期短縮、コストダウン、外観向上が期待できる。
【発明を実施するための最良の形態】
【００１１】
建築物の側面にパネル状の壁材（以下パネルと称する）を上下に隣接させて取り付けた縦断面図を図１に示す。
パネル取付具１０は、連結具４０とパネル下部係止部材２０とパネル上部係止部材３０からなり、図１は上側パネル２、下側パネル３をパネル取付具１０を用いて上下方向に連続的に隣接させて取り付けた状態の上下のパネルの隣接部分４を拡大している。
上側パネル２は、そのパネル下端部内側２ａにパネル下部係止部材２０を取り付けて、このパネル下部係止部材２０の嵌合部２２を連結具４０の連結部４２に係止している。
下側パネル３は、その上端部内側３ａにパネル上部係止部材３０を取り付けて、このパネル上部係止部材３０の嵌合部３２を連結具４０の連結部４３に係止している。
そして、連結具４０は建築物の躯体１に設けているアンカーボルト５に角度調整部材５０を用いて取り付けている。
パネル下部係止部材２０とパネル上部係止部材３０と連結具４０は、それぞれパネル２、３の隣接部４に沿って連続的に設けているが、断続的に設ける構造であっても良い。
アンカーボルト５は施工時に設けても、躯体１に元から備わっているものをそのまま使用しても良い。
角度調整部材５０は必ず有する必要は無く、連結具４０は直接躯体１に取り付けても良い。
あるいは角度調整部材５０を直接躯体１に取り付ける構造でもよい。
【００１２】
図１ではパネル２、３の隣接部分のみを示しているが、上下方向のパネルの各隣接部分をこのように取付具１０で固定することで、パネルを上下方向に連続的に取り付けることが出来る。
パネルの取付具を用いて躯体にパネルを係止する構造について説明する。
図２は取付具をパネル取り付け前の状態に分解した図を示す。
上側の上側パネル２の下端部は躯体１側にコ字状に折り返し、その内側２ａにはパネル下部係止部材２０を取り付けている。
パネル下部係止部材２０は、躯体１の取付面１ａに向かって左右方向に長尺な、細板状のパネル下部係止部材基板部２１のパネル側の端部を下垂させ、そして躯体１側に折り曲げてコ字状の折返し部２３を形成している。
この折返し部２３は、上側パネル２の下端に形成したコ字状の折返し部２ｂの内側２ａに嵌め込んでいる。
パネル下部係止部材２０の基板部２１の躯体１側の端部は片状に下垂させてパネル下部係止部材嵌合部２２を形成している。
パネル２の折返し部２ｂの先端は基板部２１に到達するまで延ばして、基板部２１に沿うように折り曲げて、基板部２１にネジ２ｃ（取付部材）により連結して、パネル２にパネル下部係止部材２０を取り付けている。
パネル上部係止部材３０は躯体１の取付面１ａに向かって左右方向に長尺な、細板状のパネル上部係止部材基板部３１のパネル側の端部を下垂させて折曲げ部３４を形成している。
また、基板部３１の躯体１側を断面二股状に下垂させて嵌合部３２を形成している。
そして、この基板部３１の躯体１側の端部は立設させて立設片３３を形成し、折曲げ部３４と基板部３１と立設片３３とで、その断面形状を階段状としている。
下側のパネル３の上部は、パネル上部係止部材３０の折曲げ部３４と基板部３１と立設片３３とが形成する階段形状に沿う階段形状に折り曲げて、このパネル３の上部内側３ａに折曲げ部３４、基板部３１、立設片３３を重ね合わせて、立設片３３をパネル３上端にネジ（取付部）３ｄでネジ止めして取り付けている。
また、パネル３から躯体１側へ向けて突出させたスタッド３ｂを、折曲げ部３４に設けたボルト穴に通してナット閉めしている。
このパネルへの係止部材の取り付けは施工前に予め行っておく。
【００１３】
連結具４０は図１、図２に示すように躯体側とパネル側に、躯体取付面１ａと平行に係止部材用連結部４２、４３を立設させている。
パネル側のパネル上部係止部材用連結部４３は立設片状で、先端部４３ａにリブ状のシール部材係止部４３ｂを設けて、先端にシール部材４３ｃを取り付けている。
躯体側のパネル下部係止部材用連結部４２は、パネル上部係止部材用連結部４３と比較して長く立設し、先端に二股状の嵌合部４２ａを設けている。
図１においては、パネル上部係止部材用連結部４３の先端部４３ａには、パネル上部係止部材３０の嵌合部３２を嵌合させて、下側パネル３を躯体１に取り付けている。
そして、パネル下部係止部材用連結部４２の嵌合部４２ａは、パネル下部係止部材２０の嵌合部２２の先端部２２ａと嵌合して、上側パネル２を躯体１に取り付けている。
パネルは従来のように直接躯体側の固定具へビス止め等せずに、予め取り付けている係止部材を躯体側の連結具の連結部へ嵌め込むため、例えパネルの折曲げ角度や連結具の位置に誤差があっても躯体側への取付時に直接パネルへの曲げストレスとなることが無く、また、誤差は嵌め合わせ部分で吸収させることが出来るため、パネル取り付けによりにパネル外観に歪みが生じることはない。
この先端部２２ａは、立設片状の先端にリブ状のシール部材係止部２２ｂを設けてシール部材２２ｃを取り付けている。
このように、パネル係止部材と連結具とを、先端にシール部材を取り付けた立設片と二股状（凹状）の嵌合部の嵌め合わせでシールしながら連結することで、躯体１とパネル外側とのシールを行っている。
別のシール構造の実施例を図９に示す。
この場合には、上側パネルの折返し部２ｄまで延ばしたパネル上部係止部材の立設片３３ａ上部のパネル側にシール部材３５を取り付けることで上側パネル２と下側パネル３の間をシールしている。
【００１４】
図１に示す角度調整部材５０は図２に示すように金属板の長手方向を折り曲げたＬ字型金具である連結具側部材５１と、金属板の幅方向を折り曲げたＬ字型金具である躯体側部材５５を備え、図１に示す基準固定部５０ａと、調整連結部５０ｂにてボルト連結している。
図３（イ）は連結具側部材５１と躯体側部材５５の斜視図を示す。
連結具側部材５１は、Ｌ字型の一片の連結具側部材重ね合わせ片５２をその幅方向を躯体１に対する前後方向に向け、垂直向きにし、その連結具側部材重ね合わせ片５２の上部を水平向きに折り曲げて連結具側取付片５３を形成してもう一方のＬ字型の一片としている。
連結具側取付片５３には躯体１に対する前後方向が長い長穴状の連結具連結用ボルト穴を５３ａを備えている。
そして連結具側部材重ね合わせ片５２の上側に軸用ボルト穴５２ａを備え、下側に躯体１に対する前後方向が長く、軸用ボルト穴５２ａを中心とする円弧状の長穴状ボルト穴５２ｂを備えている。
躯体側部材５５は、躯体１の取付面に平行にＬ字型の一片の躯体側取付片５７を備えて、その連結具側部材５１側をパネル側に、連結具側部材重ね合わせ片５２と平行になるように折り曲げてＬ字型の他の一片の躯体側部材重ね合わせ片５６を形成している。
躯体側取付片５７には、躯体連結用ボルト穴５７ａを備えている。
躯体側部材重ね合わせ片５６には、軸用ボルト穴５６ａと調整用ボルト穴５６ｂを備えている。
この軸用ボルト穴５６ａと調整用ボルト穴５６ｂは、躯体側部材重ね合わせ片５６と連結具側部材重ね合わせ片５２のそれぞれの重ね合わせ面５２ｃ、５６ｃを重ねた際に、軸用ボルト穴５６ａと軸用ボルト穴５２ａ、調整用ボルト穴５６ｂと長穴状ボルト穴５２ｂとがそれぞれボルト連結出来るように配置している。
図１においては、アンカーボルト５を躯体側部材５５の躯体連結用ボルト穴５７ａに挿し込んでナット締結して躯体側部材５５を躯体１側に取り付けている。
そして、この躯体側部材５５は連結具側部材５１を、図３（イ）に示すボルト穴５６ａとボルト穴５２ａとをボルト連結した基準固定部５０ａ、ボルト穴５６ｂと長穴状ボルト穴５２ｂとをボルト連結した調整連結部５０ｂでそれぞれ連結している。
そして連結具側部材５１は連結具４０が備えているボルト４４をベース部連結用ボルト穴５３ａに挿通してナット締結し、連結具４０を取り付けている。
【００１５】
連結具４０位置はパネル下部係止部材２０とパネル上部係止部材３０の取り付け位置に合わせている。
連結具４０は、連結具ベース部４１に、ボルト４４を挿入して、スライドできるようにボルト挿入凹部４１ａを形成している。
このような凹部は押出材で容易に製作でき、連結具４０の角度調整部材５０に対する連結具長手方向の取付位置調整が容易になっている。
そして、上方向にパネル下部係止部材用連結部４２とパネル上部係止部材用連結部４３とを立設している。
【００１６】
図３（ロ）に連結具を躯体側に取り付けた時の角度調整部材付近の斜視説明図を示す。
連結具側部材５１と躯体側部材５５とは、連結具側取付片５３の延長仮想面と躯体側取付片５７の延長仮想面とが交わるように連結具４０とアンカーボルト５にそれぞれ取り付けて、それぞれの重ね合わせ片５２、５６を重ね合わせて連結している。
連結具４０の取り付け角度の調整は、ナット５ａを緩め、アンカーボルト５を軸として矢印Ａのように角度調整部材５０を回動することで連結具４０長手方向の水平調整を行い、矢印Ｅのように、図３（イ）に示す基材連結用ボルト穴５７ａの穴範囲内において上下調整する。
そして、ボルト連結している基準固定部５０ａ、調整連結部５０ｂを緩めて基準固定部５０ａのボルト軸を軸として、調整連結部５０ｂが長穴状ボルト穴５２ｂを移動できる範囲内において、連結具側部材重ね合わせ片５２を躯体側部材重ね合わせ片５６に対して矢印Ｂのように回動し、連結具４０幅方向の水平調整を行う。
又、ナット４４ａをボルト４４に対し緩めて、矢印Ｃのように連結具４０の躯体１に対する前後方向の位置調整を行い、そして連結具４０長手方向の躯体取付面に対する角度調整と、矢印Ｄのように連結具長手方向の位置調整を行う。
各ボルト穴は、必要となる調整量に応じて、その形状と大きさを適時設定すれば良い。
連結具４０は角度調整した上で各ボルト連結部を締結して、角度調整部材に固定する。
【００１７】
図４にパネルの組み立て手順を示す。
図４（イ）に示すように、躯体１には、アンカーボルト５を、元から躯体に備わっているものをそのまま利用するか、又は、新設して予め備えてある。
このアンカーボルト５に図４（ロ）に示すように角度調整部材５０の躯体側部材５５を所定の取付角度となるようにナット５ａでボルト連結する。
また、連結具側部材５１の連結具側取付片５３は連結具４０のボルト４４にナット４４ａでボルト連結する。
そして、図４（ハ）に示すように連結具側部材５１と躯体側部材５５とを基準固定部５０ａと調整連結部５０ｂでボルト連結する。
この時に、必要に応じて各ボルト連結を緩め、躯体側部材５５のアンカーボルト５への取付角度を微調整したり、あるいは、連結具側部材５１の躯体側部材５５への取付角度や、連結具４０の連結具側部材５１への取付角度や取付位置を調整して、連結具４０の方向と位置を補正する。
そして、図４（ニ）に示すように、連結具４０のパネル下部係止部材用連結部４２に、予めパネル２に取り付けて置いたパネル下部係止部材２０を嵌合させて上側パネル２を取り付ける。
角度調整部材５０の調整はこの時点で行ってもよい。
下側パネル３は、予めパネル３に取り付けておいたパネル上部係止部材３０の立設片３３を、パネル下部係止部材２０の凹部２４に挿し込みつつ、二股状のパネル下部係止部材嵌合部３２を、連結具４０のパネル上部係止部材用連結部４３の先端部４３ａにあてがい嵌合させて、図４（ホ）に示すように連結具４０に取り付ける。
本発明に係るパネル取付具を用いると、パネルを躯体の下から上に向けても、逆に上から下に向けても自由に取り付けることができる。
例えば、修理などで下側パネル３のみを取り外す場合は、図３（ヘ）に示すようにパネル上部係止部材３０をパネル上部係止部材用連結部４３から抜くことで取り外すことが出来る。
又、パネル取り付け後であっても、下側パネル３を取り外して角度調整部材５０を調整してパネル取付角度を微調整出来る。
【００１８】
図５にパネルの左右方向の隣接部分の断面構造の説明図を示す。
躯体１に設けたアンカーボルト５に、図６に示すように躯体側部材重ね合わせ片５６と連結具側部材重ね合わせ片５２を略水平に重ねた角度調整部材６０ａ、６０ｂを取り付けている。
２つの角度調整部材６０ａ、６０ｂはパネル７，８の隣接部４ａを挟むようにアンカーボルト５に配設して、角度調整部材６０ａ、６０ｂ間にパネルの隣接部分を支持するための横連結具７０を取り付けている。
パネル７、８の左右方向の端部はネジ７ａ、８ａで横連結具７０にネジ止めしている。
横連結具７０は図６に示すように、躯体側部材５５をアンカーボルト５を嵌めている躯体連結用ボルト穴の範囲内において矢印Ｆのように躯体に向かう左右方向に位置調整する。
そして、基準連結部５０ａを軸として連結具側部材重ね合わせ片５２を調整連結部５０ｂを長穴状ボルト穴５２ｂ内で移動出来る範囲において矢印Ｇのように回動して、横連結具７０の立設方向を躯体取付面１ａと平行に調整する。
またナット４４ａを緩めて横連結具７０を矢印Ｈのように上下位置調整し、連結具ボルト４４を嵌めているボルト穴の範囲内において躯体に向かう前後位置調整する。
凹部６にはシール部材４５ｃを装着した押し縁材４５を嵌め込み、押出形材で製作した横連結具７０に固定し、取り付け部分のシールをしている。
押し縁材４５は断面を表し、又、取付ネジ部分は透視して描いてある。
押し縁材４５は、凹部６の凹部形状の内壁面と底面に沿う凹形状のシール部材４５ｃを、凹形状のベース部４５ｂでシール部材底部を横連結具７０側へ押しつけるようにネジ９でネジ止めして取り付け、キャップ４５ａで蓋をしている。
パネル左右の端部分の間に縦に取り付ける横連結具７０は躯体の上下方向に通しで取り付けてあり、仮に押し縁材４５のシール部の間から雨水が漏れても横連結具７０のパネル取り付け面の段差部７０ａを下方向に流れ落ちるので躯体側への浸入を防止できる。
さらに、取り付けビス穴から取付具の中空部７０ｂに浸入しても、この中空部７０ｂが排水口の役割をする。
【００１９】
図７に躯体にアングルを設けてパネル取付具を取り付けたパネル取付具の実施例を示す。
パネル取付具１０ａは、パネル下部係止部材２０ａと、パネル上部係止部材３０ａとを、アングル５ｂに取り付けた連結具４０ａに嵌め合わせて、押し縁材４６をパネル下部係止部材２０ａとパネル上部係止部材３０ａとの間の凹部６ａにネジ止めにより取り付けている。
押し縁材は図１０に分解図を示すように押し縁材キャップ４６ａと押し縁材ベース部４６ｂとで構成し、押し縁材キャップ４６ａにはシール部材４６ｃを装着している。
連結具４０ａにパネル下部係止部材２０ａとパネル上部係止部材３０ａとを取り付けたあと、凹部６ａにベース部４６ｂをネジ止めする。
そして、キャップ４６ａをベース部４６ｂに取り付けて、シール部材４６ｃを凹部６ａの内壁に密着させることで上下のパネル間のシールを行う構造としている。
図８に躯体１にアングル５ｂを設けてパネルの横を連結する横連結具７０ｃを取り付けた場合の、パネル左右方向の端の固定状態を示す。
パネルの左右方向の端に縦に取り付ける横連結具７０ｃは、仮に押し縁材４７のシール部材４７ｃの間から雨水が漏れても、横連結具７０ｃのパネル取付面に突起７０ｅ及び段差部７０ｆを形成していて、下方向に流れ落とすので躯体側への浸入を防止出来る。
【図面の簡単な説明】
【００２０】
【図１】パネルの隣接部への取付具の取り付け状態の説明図を示す。
【図２】パネルの取り付け状態からパネル取付具を分解した図を示す。
【図３】（イ）は連結具側部材と躯体側部材の斜視図を示し、（ロ）は角度調整部材付近の斜視説明図を示す。
【図４】パネルの連結具への取り付け順序の説明図を示す。
【図５】パネルの左右方向を固定する取付具の説明図を示す。
【図６】パネルの左右方向を固定する場合の角度調整部材付近の斜視説明図を示す。
【図７】アングルを介して連結具を取り付ける場合のパネル隣接部への取付具の取り付け状態の説明図を示す。
【図８】アングルを介して連結具を取り付ける場合のパネルの左右方向を固定する取付具の説明図を示す。
【図９】上下のパネル間のシールを行う別の取り付け具の形態例を示す。
【図１０】押し縁材の分解図を示す。
【図１１】従来のパネルの取り付け構造例を示す。
【符号の説明】
【００２１】
１      躯体
１ａ    躯体取付面
２      上側パネル
２ａ    上側パネル下端部内側
２ｂ、２ｄ  上側パネル折返し部
２ｃ    ネジ
３      下側パネル
３ａ    下側パネル上端部内側
３ｂ    スタッド
３ｃ    ナット
３ｄ    ネジ
４、４ａ  パネル隣接部
５      アンカーボルト
５ａ    ナット
５ｂ    アングル
６、６ａ  凹部
７、８  パネル
７ａ、８ａ、９  ネジ
１０、１０ａ、１０ｂ  パネル取付具
２０、２０ａ  パネル下部係止部材
２１    パネル下部係止部材基板部
２２    パネル下部係止部材嵌合部
２２ａ  パネル下部係止部材嵌合部先端部
２２ｂ  シール部材係止部
２２ｃ  シール部材
２３    折返し部
２４    凹部
３０、３０ａ  パネル上部係止部材
３１    パネル上部係止部材基板部
３２    パネル上部係止部材嵌合部
３３、３３ａ  パネル上部係止部材立設片
３４    折曲げ部
３５    シール部材
４０、４０ａ  連結具
４１    連結具ベース部
４１ａ  ボルト挿入凹部
４２    パネル下部係止部材用連結部
４２ａ  パネル下部係止部材用連結部嵌合部
４３    パネル上部係止部材用連結部
４３ａ  パネル上部係止部材用連結部先端部
４３ｂ  シール部材係止部
４３ｃ  シール部材
４４    連結具ボルト
４４ａ  ナット
４５、４６、４７  押し縁材
４５ａ、４６ａ  押し縁材キャップ
４５ｂ、４６ｂ  押し縁材ベース部
４５ｃ、４６ｃ、４７ｃ  押し縁材に装着したシール部材
５０    角度調整部材
５０ａ  基準固定部
５０ｂ  調整連結部
５１    連結具側部材
５２    連結具側部材重ね合わせ片
５２ａ  軸用ボルト穴
５２ｂ  長穴状ボルト穴
５２ｃ  重ね合わせ面
５３    連結具側取付片
５３ａ  連結具連結用ボルト穴
５４ａ、５４ｂ  ナット
５４ｃ、５４ｄ  ボルト
５５    躯体側部材
５６    躯体側部材重ね合わせ片
５６ａ  軸用ボルト穴
５６ｂ  調整用ボルト穴
５６ｃ  重ね合わせ面
５７    躯体側取付片
５７ａ  躯体連結用ボルト穴
６０ａ、６０ｂ  横連結具用角度調整部材
７０、７０ｃ  横連結部
７０ａ、７０ｆ  段差部
７０ｂ、７０ｄ  中空部
７０ｅ  突起
【図１】
2006002561.tif 000003
【図２】
2006002561.tif 000004
【図３】
2006002561.tif 000005
【図４】
2006002561.tif 000006
【図５】
2006002561.tif 000007
【図６】
2006002561.tif 000008
【図７】
2006002561.tif 000009
【図８】
2006002561.tif 000010
【図９】
2006002561.tif 000011
【図１０】
2006002561.tif 000012
【図１１】
2006002561.tif 000013